(57)【要約】      （修正有）【課題】内蔵メモリの容量を削減せずに、ユーザーの背景画像の選択の幅を広げる。【解決手段】フロントエンド回路１と、その出力を受けて、番組情報と放送データとに分離するデマルチプレクサ３と、番組情報をデコードする番組情報デコード部１１と、映像・音声データをデコードする映像・音声デコード部５と、デコードした音声を出力する音声出力部（スピーカ）７と、ＯＳＤデータを生成するＯＳＤデータ生成部１５と、番組情報、ＯＳＤデータ、放送データなどを画面合成する画面合成部１７と、画面合成した映像を表示する表示部（ディスプレイ）２１と、を有している。さらに、インターフェイス２と、リモコン受光部２３と、制御部（ＣＰＵ）２５と、メモリ部２７と、を備えている。これらの表示制御は、メモリ部２７に記憶されているプログラムの処理によって実行される。【選択図】図１
2011166347.tif 000002
【特許請求の範囲】
【請求項１】
メニュー画面における背景画像を記憶する背景画像メモリと、外部から取得した背景画像をメモリとする背景画像用メモリ領域と、を備えたメモリ部と、
メニュー表示の制御を行うメニュー表示制御部と、
背景画像に選択処理を行う背景画像選択処理部と、を備え、
外部メモリを検出すると、前記外部メモリから画像メモリを取り出し、前記外部メモリの画像データを表示させ、表示から所望の画像データを選択することで、背景画像を確定する処理を行うことを特徴とするコンテンツ表示装置。
【請求項２】
前記メニュー表示における前回選択した背景画像を拡大すると、メニュー画面で背景を確定し、メニュー上での背景画像選択処理に戻った時に、選択されていた画像を視覚的に認識可能な形態で拡大したまま維持することを特徴することを請求項１に記載のコンテンツ表示装置。
【請求項３】
前記外部メモリから内部メモリに転送された画像データは、割り当てられた後に内部メモリから消去されることを特徴とする請求項１又は２に記載のコンテンツ表示装置。
【請求項４】
前記外部メモリからの画像データが解像度の低いデータである場合には、画像度の低い画像を背景画像としてそのまま拡大せずに、解像度の高い画像データを操作させて背景画像を生成することを特徴とする請求項１又は２に記載のコンテンツ表示装置。
【請求項５】
メニュー画面における背景画像を記憶する背景画像メモリと、外部から取得した背景画像をメモリとする背景画像用メモリ領域と、を備えたメモリ部と、
メニュー表示の制御を行うメニュー表示制御部と、
背景画像に選択処理を行う背景画像選択処理部と、を備えたコンテンツ表示装置におけるコンテンツ表示方法であって、
外部メモリを検出すると、前記外部メモリから画像メモリを取り出し、前記外部メモリの画像データを表示させるステップと、
表示から所望の画像データを選択することで、背景画像を確定する処理を行うことを特徴とする請求項と、を備えたコンテンツ表示方法。
【請求項６】
コンピュータに請求項５に記載の方法を実行させるためのプログラム。
【請求項７】
請求項６に記載のプログラムを記録するコンピュータ読み取り可能な記録媒体。
【発明の詳細な説明】
【技術分野】
【０００１】
本発明は、コンテンツを表示するコンテンツ表示装置に関し、特に、テレビジョン放送表示装置におけるメニュー表示技術に関する。
【背景技術】
【０００２】
コンテンツ表示装置、例えば、テレビジョン放送の表示装置においては、様々なメニュー選択画面が存在し、それぞれのメニュー選択画面において、背景画像やアイコンなどが適宜表示されるようになっている。
【０００３】
例えば、下記特許文献１に記載の技術は、ユーザーがデジタルカメラなどで撮影した画像を、カラオケの背景画面として利用することができる技術を提案したものである。この技術では、取り外し可能なメモリカードが、画像データ領域、歌詞情報を含む曲データ領域、設定データ領域を有している。そして、装置の制御部は、操作部の操作により画像データ領域や本体の内部画像データ記憶部から選択した画像をオープニング画像や背景画像として切り換え時間等も含めて設定データ領域に記憶させるものである。電源投入時またはメモリカード挿入時に、制御部は設定データに基づいて画像データを取り出して画像表示処理部で歌詞情報とミキシング処理して映像出力回路からモニターテレビに表示させることができる。
【０００４】
また、図７は、一般的なコンテンツ表示装置についてテレビジョン受信装置を例にした一構成例を示す機能ブロック図である。図７に示すコンテンツ表示装置は、アンテナから受信した放送波の受信処理等を行うフロントエンド回路１０１と、その出力を受けて、番組情報と放送データとに分離するデマルチプレクサ１０３と、番組情報をデコードする番組情報デコード部１１１と、映像・音声データをデコードする映像・音声デコード部１０５と、デコードした音声を出力する音声出力部（スピーカ）１０７と、ＯＳＤデータを生成するＯＳＤデータ生成部１１５と、番組情報、ＯＳＤデータ、放送データなどを画面合成する画面合成部１１７と、画面合成した映像を表示する表示部（ディスプレイ）１２１と、を有している。さらに、リモコン受光部１２３と、制御部（ＣＰＵ）１２５と、メモリ部１２７と、を備えている。
【０００５】
メモリ部１２７は、不揮発性メモリやハードディスクなどにより構成され、内部背景画像を記憶するための内部背景画像用のメモリ領域１２７ａを有している。内部背景画像用のメモリ領域１２７ａには、例えば、コンテンツ表示装置のデフォルトの画像が格納されている。
【０００６】
制御部１２５は、表示装置におけるメニュー表示の表示制御を行うメニュー表示制御部１２５ａを備えている。一般的には、これらの表示制御は、メモリ部１２７に記憶されているプログラムの処理によって実行される。
【先行技術文献】
【特許文献】
【０００７】
【特許文献１】特開２００４−２７１９５９号公報
【発明の概要】
【発明が解決しようとする課題】
【０００８】
上記の特許文献１に記載の技術によれば、設定データと曲データと画像データとが、取り外し可能なメモリカードに対応付けされており、背景画像の選択の自由度が低いという問題がある。また、図７に示す一般的な装置では、内部メモリに格納されている背景画像のみが選択可能である。
【０００９】
図８は、一般的なメニュー画面における背景画像選択表示の一例を示す図である。図８に示すように、画面１０７上に８つの背景画像選択表示画面における画像１２１が、内部メモリ領域から読み出されて画面に表示されている。現在は、画像（１）１１１が選択され、この画像（１）１１１が選択用の画像となっている。ここで、決定処理を行うと、画像（１）１１１の画像（３つの菱形）が、次の画面であるメニュー画面（図示せず）の背景画像として選択されるようになっている。
【００１０】
このような、一般的なテレビ用ＯＳＤを用いた背景画像、アイコンなどをテレビで内蔵している場合には、その画像の内蔵に用いられるメモリ容量が増えてしまったり、固定画像のためにユーザーの選択の幅を狭めてしまったりするという問題があった。
【００１１】
本発明は、内蔵メモリの容量が削減するとともに、背景画像に関するユーザーの選択の幅を広げることを目的とする。
【課題を解決するための手段】
【００１２】
本発明は、内部背景画像用のメモリ領域２７ａには、例えば、コンテンツ表示装置のデフォルトの画像が格納されている。外部背景画像用のメモリ領域２７ｂには、後述するメモリカードなどの記憶媒体に記憶されていた画像データであってメモリカードなどから装置に転送され装置の内部に取り込まれた画像が記憶されている。
【００１３】
制御部２５は、背景画像として選択するためのユーザインターフェイスを提供する背景画像選択処理部２５ａと、表示装置におけるメニュー表示の表示制御を行うメニュー表示制御部２５ｂと、を備えている。一般的には、これらの表示制御は、メモリ部２７に記憶されているプログラムの処理によって実行される。
【００１４】
本発明の一観点によれば、メニュー画面における背景画像を記憶する背景画像メモリと、外部から取得した背景画像をメモリとする背景画像用メモリ領域と、を備えたメモリ部と、メニュー表示の制御を行うメニュー表示制御部と、背景画像に選択処理を行う背景画像選択処理部と、を備え、外部メモリを検出すると、前記外部メモリから画像メモリを取り出し、前記外部メモリの画像データを表示させ、表示から所望の画像データを選択することで、背景画像を確定する処理を行うことを特徴とするコンテンツ表示装置が提供される。
【００１５】
前記メニュー表示における前回選択した背景画像を拡大すると、メニュー画面で背景を確定し、メニュー上での背景画像選択処理に戻った時に、選択されていた画像を視覚的に認識可能な形態で拡大したまま維持することを特徴する。前記外部メモリから内部メモリに転送された画像データは、割り当てられた後に内部メモリから消去されることを特徴とする。前記外部メモリからの画像データが解像度の低いデータである場合には、画像度の低い画像を背景画像としてそのまま拡大せずに、解像度の高い画像データを操作させて背景画像を生成することを特徴とする。
【００１６】
本発明の他の観点によれば、メニュー画面における背景画像を記憶する背景画像メモリと、外部から取得した背景画像をメモリとする背景画像用メモリ領域と、を備えたメモリ部と、メニュー表示の制御を行うメニュー表示制御部と、背景画像に選択処理を行う背景画像選択処理部と、を備えたコンテンツ表示装置におけるコンテンツ表示方法であって、外部メモリを検出すると、前記外部メモリから画像メモリを取り出し、前記外部メモリの画像データを表示させるステップと、表示から所望の画像データを選択することで、背景画像を確定する処理を行うことを特徴とする請求項と、を備えたコンテンツ表示方法が提供される。
【００１７】
本発明は、上記の方法をコンピュータに実行させるためのプログラムであっても良い。また、該プログラムを記録するコンテンツ読み取り可能な記録媒体であっても良い。このプログラムは、インターネットなどの伝送媒体によって取得できるものでも良い。
【発明の効果】
【００１８】
本発明によれば、内蔵メモリの容量が削減することができる。また、背景画像に関するユーザーの選択の幅を広げることができるという利点がある。
【図面の簡単な説明】
【００１９】
【図１】本発明の一実施の形態によるコンテンツ表示装置についてテレビジョン受信装置を例にした一構成例を示す機能ブロック図である。
【図２】本実施の形態によるコンテンツ表示装置における背景画像の選択処理の基本的な流れを示すフローチャート図である。
【図３】本実施の形態によるコンテンツ表示装置における背景画像の選択処理の前後のメニュー画面表示処理の流れを示すフローチャート図である。
【図４】本実施の形態によるコンテンツ表示装置における背景画像の選択処理に応じた内部メモリ内のデータ処理の一例を示すフローチャート図である。
【図５】本実施の形態によるコンテンツ表示装置における背景画像の選択処理において、解像度の低い選択画像の場合の背景画像の表示処理の一例を示すフローチャート図である。
【図６】本実施の形態によるコンテンツ表示装置における背景画像の選択処理を行う表示画面の一例を示す図である。
【図７】一般的なコンテンツ表示装置についてテレビジョン受信装置を例にした一構成例を示す機能ブロック図である。
【図８】図７に示す般的なコンテンツ表示装置における背景画像の選択処理の基本的な流れを示すフローチャート図である。
【発明を実施するための形態】
【００２０】
以下、本発明の一実施の形態によるコンテンツ表示装置について、デジタル放送テレビジョン受信装置を例にして説明を行う。図１に示すように、本実施の形態によるコンテンツ表示装置は、アンテナから受信した放送波の受信処理等を行うフロントエンド回路１と、その出力を受けて、番組情報と放送データとに分離するデマルチプレクサ３と、番組情報をデコードする番組情報デコード部１１と、映像・音声データをデコードする映像・音声デコード部５と、デコードした音声を出力する音声出力部（スピーカ）７と、ＯＳＤデータを生成するＯＳＤデータ生成部１５と、番組情報、ＯＳＤデータ、放送データなどを画面合成する画面合成部１７と、画面合成した映像を表示する表示部（ディスプレイ）２１と、を有している。さらに、インターフェイスを２と、リモコン受光部２３と、制御部（ＣＰＵ）２５と、メモリ部２７と、を備えている。インターフェイス部２は、例えば、外部メモリインターフェイス２ａ、外部機器インターフェイス２ｃ、ネットワークインターフェイス２ｄなどを備えており、外部から情報等を取得したりすることができる。
【００２１】
メモリ部２７は、不揮発性メモリやハードディスクなどにより構成され、内部背景画像を記憶するための内部背景画像用のメモリ領域２７ａ、外部背景画像を記憶するための外部背景画像用メモリ領域２７ｂを有している。内部背景画像用のメモリ領域２７ａには、例えば、コンテンツ表示装置のデフォルトの画像が格納されている。外部背景画像用のメモリ領域２７ｂには、後述するメモリカードなどの記憶媒体に記憶されていた画像データであってメモリカードなどから装置に転送され装置の内部に取り込まれた画像が記憶されている。
【００２２】
制御部２５は、背景画像として選択するためのユーザインターフェイスを提供する背景画像選択処理部２５ａと、表示装置におけるメニュー表示の表示制御を行うメニュー表示制御部２５ｂと、を備えている。一般的には、これらの表示制御は、メモリ部２７に記憶されているプログラムの処理によって実行される。
【００２３】
以下に、メニュー表示における背景画像の選択処理について説明する。図２は、一般的な背景画像の選択処理に加えて、本実施の形態による表示装置における、外部メモリからの画像による制御部２５における背景画像の選択処理の流れを示すフローチャート図である。ここでは、外部メモリとしてＵＳＢメモリ内に記憶されている画像を対象例として説明する。
【００２４】
図２に示すように、処理が開始されると（ステップＳ１：Ｓｔａｒｔ）、ステップＳ２において、ＵＳＢメモリが外部メモリインターフェイス２ａに差し込まれたことを検出すると（ＹＥＳ）、ステップＳ４に進み、ＵＳＢメモリ内に画像ファイルが存在するかどうか（動画ファイルでも良い）を判定する。一方、Ｎｏの場合には、内部メモリから画像を読み出しても良い（入力部からの何らかの指示があった場合に）。
【００２５】
ステップＳ３又はステップＳ５からステップＳ６に進み、ステップＳ６において、メニュー画面における背景画像の選択画面を表示させる。ここで、ステップＳ７において、ユーザーの選択操作を待って（Ｙｅｓ）、ステップＳ８において、ステップＳ７で選択した画像を背景画像として割り当て、処理を終了する（ＥＮＤ：ステップＳ９）。尚、外部メモリからのデータのうちから画像（静止画、動画）などを識別するためには、例えばデータ識別子（ｊｐｅｇ、ｍｐｅｇなど）により見分けることができる。また、背景を実際に画面に表示させることで確認するようにしても良い。
【００２６】
以上の処理により、外部メモリ等からの画像と、デフォルトの内部に格納された画像とを、分け隔て無く、コンテンツ表示装置のメニュー表示の背景画像などに利用することができる。
【００２７】
図３は、本実施の形態によるコンテンツ表示装置における背景画像の選択処理の前後のメニュー画面表示処理の流れを示すフローチャート図である。図２のステップ８から、ステップＳ１１に進み、選択した背景画像をメニュー上で拡大することで背景画像を確認することができる、次いで、ステップＳ１２において、メニュー画面で背景を確定する操作を行う（背景画像をメモリに記憶させる）。次いで、ステップＳ１３において、メニューの背景画像に選択され、選択画面へ戻った場合には、直前に選択された画像が拡大表示されているなど視覚的にわかりやすくどの画像が選択されたかを表示により識別できるようにする。これにより、前回選択された画像がどの画像であったかを簡単に知ることができる。
【００２８】
図４は、本実施の形態によるコンテンツ表示装置における背景画像の選択処理に応じた内部メモリ内のデータ処理の一例を示すフローチャート図である。図２のステップＳ５から、ステップＳ１５において、ＵＳＢメモリなどの外部メモリからの画像を、装置本体の内部メモリ２７ｂに保存する。次いで、図２のステップＳ６からＳ９までの処理が実行され、ステップＳ１７において、割り当て後に内部メモリ中に格納されていたＵＳＢメモリからの画像データを消去し、処理を終了する（ステップＳ９）。ＵＳＢメモリ等の外部メモリから内部メモリに取り込んだ画像データを１回毎などに消去することで、外部メモリから取り込んだ画像データにより内部メモリが占有されてしまうことを防止することができる。特に、動画像を背景として用いる場合、すなわち、動画の識別子を有するデータに基づいて背景を表示する場合には、メモリの占有量が大きいため、内部メモリ内には、選択された１つの動画データのみを転送、記憶し、これに基づいて動画を背景とすることが好ましい。また、動画を背景としている場合に、そのメニュー表示が終了した場合には、すぐに内部メモリから削除することで装置内の内部メモリの占有容量を低減することができる。
【００２９】
外部メモリから取得された画像は、必ずしもメニュー画面とマッチした表示領域になっているとは限らない。そこで、メニュー画面の表示領域とマッチさせるようにすることが好ましい。その場合の方法としては、単に大きさを合わせるように画像を引き延ばす方法、画像を複数並べて表示の大きさを合わせる方法などが挙げられる。複数並べる場合には、同じ画像を複数並べる方法、異なる画像を複数並べる方法などを用いることができる。一般的には、異なる画像を並べる方がきれいな画像となるが、例えば、一連の時間の異なる同じ対象の画像の場合のように、異なる画像を並べた方がきれいになる場合もある。これらは、ユーザーにより選択することができるようにすることが好ましい。動画像の場合には、その動画像をあるタイミング毎に切り出した静止画像を用いて背景画像を作成しても良い。
【００３０】
図５は、本実施の形態によるコンテンツ表示装置における背景画像の選択処理において、解像度の低い選択画像の場合の背景画像の表示処理の一例を示すフローチャート図である。解像度の低い画像の場合には、それを拡大して背景に用いると、解像度がさらに低くなって見にくくなる。そこで、図５に示すように、ステップＳ１８において、画像の解像度がある基準値よりも低いかどうかを判定する。Ｎｏの場合には、ステップＳ５に進むが、ＹＥＳの場合には、ステップＳ１９に進み、同じ背景を画像上の異なる位置に繰り返し表示させる。これにより、解像度を維持しつつ、あたかも背景画像を拡大したかのような視覚的効果を得ることができる。尚、低解像度のデータを、表示画面に繰り返し表示させるモードと、低解像度の画像を表示画面いっぱいに表示させるモードとを切り替えて用いるようにしても良い。両方の背景画像を比較してユーザーに選択させるようにしても良い。
【００３１】
図６は、本実施の形態によるコンテンツ表示装置における背景画像の選択処理を行う表示画面の一例を示す図である。画面２１上には、ここでは、画像１から画像８までの８つの画像が選択候補として表示されている。現在、選択されている画像（１）６１が、その他の画像よりも大きく表示されている。そして、画像１の画像が背景画像として表示される（７１ａ、７１ｂ、７１ｃ）。画像２を選択すると、背景画像は変化する。従って、ユーザ操作などにより（自動的に変化しても良い）、選択候補画像が変化すると背景画像が変化するので、どれが背景画像として好ましいかを簡単に知ることができる。
【００３２】
尚、上記の例では、メニュー画面における背景画像の選択について述べたが、メニュー画面などに用いられるアイコンなどを画像データとして利用することができる。また、内部メモリの画像と外部メモリの画像とを両方とも表示させて選択させるようにしても良い。両方の画像をＯＳＤ処理により重ねて表示させた背景画像を用いても良い。これにより、オリジナルのメニュー画面を作成し、多様にカスタマイズすることができる。尚、メニュー画像と背景画像とは、対応付けされているのが一般的である。外部メモリから取り込んだ画像と対応付けしたメニュー表示とを対応付けしており、変更がない限り、同じ背景画像を表示させることも可能である。動画を背景画像にすれば、画像の様子が変化していくようにすることができる。
【００３３】
コンテンツ表示装置に適した画像を格納したメモリカードを製品としても良い。これにより、そのコンテンツ表示装置に適した背景画像のみから選択した背景画像にすることができる。予め、内部には背景画像を持っておらず、添付品としてＵＳＢメモリなどを提供しても良い。ＵＲＬからネットワーク経由で提供するようにしても良い。コンテンツ表示装置のコンテンツソースとしては、放送波、ネットワーク経由のコンテンツ、記憶媒体のコンテンツなど全てが対象となる。
【００３４】
また、上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００３５】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【００３６】
また、「コンピュータシステム」は、ＷＷＷシステムを利用している場合であれば、ホームページ提供環境（あるいは表示環境）も含むものとする。
【００３７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。
【産業上の利用可能性】
【００３８】
本発明は、コンテンツ表示装置に利用可能である。
【符号の説明】
【００３９】
１…フロントエンド回路、３…デマルチプレクサ、１１…番組情報デコード部、５…映像・音声デコード部、７…音声出力部（スピーカ）、１５…ＯＳＤデータ生成部、１７…画面合成部、２１…表示部（ディスプレイ）、２…インターフェイス、２３…リモコン受光部、２５…制御部（ＣＰＵ）、２７…メモリ部、２ａ…外部メモリインターフェイス、２ｃ…外部機器インターフェイス、２ｄ…ネットワークインターフェイス、２７ａ…内部背景画像用のメモリ領域、２７ｂ…外部背景画像用メモリ領域。
【図１】
2011166347.tif 000003
【図２】
2011166347.tif 000004
【図３】
2011166347.tif 000005
【図４】
2011166347.tif 000006
【図５】
2011166347.tif 000007
【図６】
2011166347.tif 000008
【図７】
2011166347.tif 000009
【図８】
2011166347.tif 000010